(57)【要約】【課題】頁めくり装置を取り扱う際の判断基準とすべき標準指標を提供する。【解決手段】取扱説明書４０は、異なる紙種、少なくとも、普通紙５０、薄紙５１、厚紙５２の３種類の用紙からな頁で構成されている。普通紙５０、薄紙５１、厚紙５２は、それぞれ複数の頁からなる。取扱説明書４０には、例えば、「第１頁〜第１０頁の紙は普通紙、第１１頁〜第２１頁の紙は薄紙に該当します。第２２頁以降は厚紙に該当します。第２２頁以上の厚紙より厚い場合にはページが正しくめくれない可能性があります。」などと説明される。ユーザは、これら異なる紙種からなる頁を見て、触って、普通紙５０、薄紙５１、厚紙５２の違いを認識し、取扱説明書４０の記載内容をより正確に理解する。【選択図】図２
2018051842.tif 000002
【特許請求の範囲】
【請求項１】
見開きの本の頁をめくる頁めくり装置の取扱説明書であって、
前記頁めくり装置の動作条件を設定するための複数の標準指標を、当該取扱説明書の頁の構成として取り込んだことを特徴とする取扱説明書。
【請求項２】
前記複数の標準指標は、各々、複数の異なる紙種を綴じ合わせた頁であることを特徴とする請求項１に記載の取扱説明書。
【請求項３】
前記複数の異なる紙種からなる頁は、それぞれの紙種毎に複数の頁からなることを特徴とする請求項２に記載の取扱説明書。
【請求項４】
前記複数の標準指標のうち少なくとも１つは、前記頁めくり装置の各部の配置を切り替える必要性が生ずる本のサイズとした当該取扱説明書のサイズであることを特徴とする請求項１に記載の取扱説明書。
【請求項５】
前記複数の標準指標のうち少なくとも１つは、前記頁めくり装置に載置可能な前記本の表紙の厚みに対応させて所定の色にした複数の頁であることを特徴とする請求項１に記載の取扱説明書。
【請求項６】
前記複数の標準指標のうち少なくとも１つは、前記頁めくり装置によって実際に当該取扱説明書の頁をめくる動作を実行することで得られる、前記頁めくり装置の各部の動作条件を示す頁からなることを特徴とする請求項２に記載の取扱説明書。
【請求項７】
前記動作条件は、頁をめくる吸着部の吸着性能であることを特徴とする請求項６に記載の取扱説明書。
【請求項８】
前記複数の標準指標を取り込んだ当該取扱説明書の頁の所定の位置に、標準指標である旨を示すマークを配置し、前記本の頁を撮影した撮影画像から前記マークが検出された場合、前記撮影画像を電子書籍データとして取得しないことを特徴とする請求項１乃至７のいずれかに記載の取扱説明書。
【請求項９】
前記複数の標準指標を取り込んだ頁の特徴に対応する前記頁めくり装置の取扱方法を説明する文章が記載された請求項１乃至８のいずれかに記載の取扱説明書。
【発明の詳細な説明】
【技術分野】
【０００１】
本発明は、取扱説明書に関する。
【背景技術】
【０００２】
従来、例えば本等の頁を自動でめくる装置として、重なっている頁を一枚ずつ吸着して頁をめくる頁めくり装置が知られている（例えば特許文献１参照）。当該頁めくり装置では、例えば、粘着性部材などで本の頁を保持し、保持された頁をめくり上げ分離する。
【０００３】
上述した頁めくり装置では、何らかの不具合が生じた場合にその原因を突き止め、より適切な使用条件にセッティングすることは難しい。例えば、ページがうまくめくれない場合、その原因は、本の頁を保持、分離する粘着性部材（テープ）の寿命や、頁の紙種、製品の各ユニットのセッティングなどに左右される。しかしながら、不具合等の原因が、粘着性部材（テープ）の寿命にあるのか、頁の紙種にあるのか、製品の各ユニットのセッティングにあるのかをユーザが判別するのは難しい。
【０００４】
また、使用に関する不明点や、何らかの不具合が生じた場合に、ユーザは、カスタマーサービスなどの窓口に電話をかけ、不明点や、不具合の状況、使用状況などを口頭にて説明することなる。しかしながら、ユーザがうまく説明できない、担当者が解決方法を指示しても伝わらないなどということが多々ある。
【０００５】
そこで、例えば、様々な紙見本を製本技術により冊子のような形態として提供する技術が知られている（例えば特許文献２参照）。このような紙見本は、厚手の紙や、剛度の高い紙などからなる多種類の紙が綴じられている。
【先行技術文献】
【特許文献】
【０００６】
【特許文献１】特開平６−４８０６７号公報
【特許文献２】特開２０１２−２３２４６８号公報
【発明の概要】
【発明が解決しようとする課題】
【０００７】
しかしながら、従来技術では、あくまで紙種（異なる色、厚さ（重さ）、材質など）を確認することができるものの、頁めくり装置における、本を構成する頁の紙種を提示することができるだけであり、不具合が生じたときの原因究明や、頁を円滑に頁をめくるための使用条件のセッティングなど、様々な状況に適用するには難しい。また、仮にこのような紙見本があったとしても、頁めくり装置、取扱説明書、及び紙見本を見なければならず、手間がかかるという問題もある。
【０００８】
そこで本発明の課題は、頁めくり装置を取り扱う際の判断基準とすべき標準指標を提供することである。
【課題を解決するための手段】
【０００９】
この発明に係る取扱説明書は、見開きの本の頁をめくる頁めくり装置の取扱説明書であって、前記頁めくり装置の動作条件を設定するための複数の標準指標を、当該取扱説明書の頁の構成として取り込んだことを特徴とする。
【発明の効果】
【００１０】
この発明によれば、頁めくり装置を取り扱う際の判断基準とすべき標準指標を提供することができる。
【図面の簡単な説明】
【００１１】
【図１】本実施形態の頁めくり装置１の概略構成を示す斜視図である。
【図２】本実施形態の頁めくり装置１に同梱される取扱説明書の一例を示す模式図である。
【図３】本実施形態の頁めくり装置１に同梱される取扱説明書の他の例を示す模式図である。
【図４】本実施形態の頁めくり装置１に同梱される取扱説明書によって提供される標準指標の一覧を示す概念図である。
【発明を実施するための形態】
【００１２】
以下に、本発明を実施するための最良の形態について図面を用いて説明する。ただし、以下に述べる実施形態には、本発明を実施するために技術的に好ましい種々の限定が付されているが、発明の範囲を以下の実施形態及び図示例に限定するものではない。
【００１３】
図１は、本実施形態の頁めくり装置１の概略構成を示す斜視図である。なお、以下の説明においては本Ｂの頁Ｐを左から右へとめくる場合について説明する。
図１に示すように、頁めくり装置１は、本Ｂの頁Ｐをめくる頁めくり部３と、本Ｂを設置する保持台６と、めくり先位置で頁Ｐを保持するための頁保持部７とを備えている。なお、図では省略しているが、本Ｂの頁Ｐを撮像する撮像手段を有する情報処理端末（スマートフォンや、タブレットなど）を設置するスタンド部を別途備えている。
【００１４】
頁めくり部３は、略直方体形状の収納ケース３１と、モータなどの駆動手段によって回転駆動する駆動軸３２と、駆動軸３２を中心に揺動するアーム部３４と、アーム部３４の先端に取り付けられ、本Ｂの頁Ｐに対して吸着する吸着部３５と、めくり元位置にある頁Ｐの上方に風を通過させ、めくり先位置にある頁Ｐに対して風を当てる送風部３６と、各部を制御する図示しない制御部とを備えている。
【００１５】
収納ケース３１は、駆動軸３２、アーム部３４、吸着部３５、及び送風部３６を収納している。保持台６は、図示しないヒンジにより折り畳み自在な一対の保持板６１、６２を備えている。ここで、本Ｂの頁Ｐが左から右へとめくられる場合は、一対の保持板６１、６２のうち、左側に配置された一方の保持板６１が卓上に沿うように置かれ、右側に置かれる他方の保持板６２が一方の保持板６１に対して所定の角度で起き上がるように傾斜して卓上に置かれる。一方の保持板６１上には、本Ｂのめくり元位置となる頁Ｐが置かれ、他方の保持板６２上には、本Ｂのめくり先位置となる頁Ｐが置かれることになる。
【００１６】
これにより、保持台６は、めくり元位置にある頁Ｐよりもめくり先にある頁Ｐの方が本Ｂの綴じ目に対して起きる方向に傾斜するように本Ｂを保持することになる。なお、一対の保持板６１、６２がヒンジにより折り畳み自在となっているので、一対の保持板６１、６２のなす角度も調整することができ、めくり先位置にある頁Ｐの水平面に対する傾斜角度θが調整自在となっている。傾斜角度θとしては３０〜４５度内の範囲で調整することが好ましい。
【００１７】
頁保持部７は、頁押さえ装置７５と位置調整部７６とからなる。頁押さえ装置７５は、巻き込み部７５１と、引き込みローラ７５２と、押さえローラ７５３とを備えている。巻き込み部７５１は、頁Ｐがめくり元位置に戻らないようにめくり先位置に巻き込む。引き込みローラ７５２は、巻き込み部７５１と同軸上で回転し、吸着部３５より搬送され、巻き込み部７５１によって巻き込まれた頁Ｐがめくり元位置に戻らないように、頁Ｐを引き込む。押さえローラ７５３は、頁Ｐをめくり先位置で押さえ込む。
【００１８】
また、位置調整部７６は、めくり先位置にめくられた頁Ｐの端部に、引き込みローラ７５２、及び押さえローラ７５３のロール面が乗るように、本Ｂの大きさに応じて、保持板６２上における固定位置を調整するとともに保持板６２に固定する。
【００１９】
上記構成において、駆動軸３２が回転するとアーム部３４が駆動軸３２を中心にして円弧を描くように頁Ｐのめくり元位置と、頁Ｐのめくり先位置との間を往復動作するようになっている。以下の説明においては、頁Ｐのめくり元位置からめくり先位置までの移動を往動とし、めくり先位置からめくり元位置までの移動を復動とする。
【００２０】
めくり動作によってアーム部３４が往動する際には、めくり元位置の頁Ｐを吸着部３５によって吸着し、アーム部３４の往動に追従して吸着された頁Ｐがめくり先位置へと移動することになる。
【００２１】
頁押さえ装置７５では、吸着部３５より吸着された頁Ｐがめくり先位置へ搬送されてくると、巻き込み部７５１の羽根部の回転動作によって頁Ｐを巻き込み、巻き込んだ頁Ｐを、引き込みローラ７５２でさらに引き込んで、押さえローラ７５３でめくり先位置に確実に押さえ込んで留めるようになっている。
【００２２】
また、アーム部３４の復動時では、往動時と進行方向は逆であり、同経路で吸着部３５は頁Ｐから分離した状態で移動し、最終的に頁Ｐのめくり元位置で新たな頁Ｐに吸着する。この往復動作を繰り返すことで頁Ｐのめくり動作が進行する。
【００２３】
上述した頁めくり装置１においては、使用する本Ｂの判別が重要な項目であるが、日頃から本や紙を扱う人でなければ、その判別は安易ではない。例えば、頁Ｐの紙種においては「雑誌のようなやわらかい紙」、「文庫本のような普通紙」と取扱説明書に記載されていても、その場に、例に挙げられた本がなければ、手元にある本Ｂの頁Ｐが「やわらかい」、「普通」、「硬い」のいずれに該当するかを判断するのも、個人の感覚に依存するところが大きく、曖昧になりがちである。
【００２４】
また、本サイズについても、日頃、Ａ４、Ｂ４などの紙サイズを意識していない人にとって、手元にある本Ｂが「Ａ５サイズより大きいのか、小さいのか？」ということも、意外とわかりにくい場合がある。
【００２５】
特に、頁Ｐを吸着する吸着部３５に粘着テープを用いる場合、粘着テープの粘着力が使用時間（頁数）に応じて低下してくる。したがって、粘着テープの粘着力が低下すると、頁Ｐをうまく吸着できず、頁Ｐがめくられなくなるため、適宜、ロール状の粘着テープの最外周を剥がして新しい面を出すか、粘着テープ自体を交換する必要がある。
【００２６】
しかしながら、その粘着テープの粘着性や寿命は、頁Ｐの紙種／紙質などに因って大きく変わる。例えば、写真集のような光沢紙は、貼り付きやすいが紙や、インクの逆付着が少ない紙を使用しているため、粘着テープの劣化は遅い。これに対して、週刊マンガ誌のような再生紙は、剥がれやすく紙や、インクの付着が多い紙を使用しているため、粘着テープの劣化が早い。
【００２７】
つまり、取扱説明書で「普通紙で約○○枚程度」と提示しても、どのような紙種／紙質の本を用いたかにによって粘着テープの寿命は左右されることがあるため、粘着テープの寿命の判断は難しい。さらに、頁Ｐがうまくめくれない場合、粘着テープの寿命以外にも、本の判別や製品の各ユニットのセッティングなどが原因である可能性がある。例えば、「頁がうまくめくれないから、粘着テープの寿命かな」と思って、新しいテープ面を使用しても、セッティングが悪ければうまくめくれないことがある。その場合、まだ使用できる粘着テープを無駄にしたことになってしまう。
【００２８】
また、コールセンターなどへの問合せの際にも、ユーザがどのような本を使っているのかを、会話のみで共有することは容易ではなく、ユーザにとっても、オペレータにとっても負担となる可能性がある。例えば、オペレータが「お手持ちの本のサイズはＢ５より大きいですが？」と質問しても、ユーザにとっては「Ｂ５？Ｂ５ってどれくらいの大きさ？」というように伝わらないという問題が生じる。
【００２９】
そこで、本実施形態では、頁めくり装置１に添付する本型の取扱説明書自体に、頁めくり装置１の使用において、本サイズや、頁Ｐの紙種、粘着テープの寿命などのユーザが判断する必要のある項目に対し、その判断基準となるように「標準指標」としての機能、「基準本」としての役割を付加することを特徴としている。
【００３０】
図２は、本実施形態の頁めくり装置１に同梱される取扱説明書４０の一例を示す模式図である。取扱説明書４０は、異なる紙種からなる用紙を用いた頁で構成されている。図示の例では、少なくとも、普通紙５０、薄紙５１、厚紙５２の３種類の用紙からなる。普通紙５０、薄紙５１、厚紙５２は、それぞれ複数の頁を構成している。取扱説明書４０には、例えば、「第１頁〜第１０頁の紙は普通紙、第１１頁〜第２１頁の紙は薄紙に該当します。第２２頁以降は厚紙に該当します。第２２頁以上の厚紙より厚い場合にはページが正しくめくれない可能性があります。」などの説明が可能となる。
【００３１】
ユーザは、これら異なる紙種からなる頁を見て、触って、普通紙５０、薄紙５１、厚紙５２の違いを認識することができるので、取扱説明書４０の記載内容をより正確に理解することができる。
【００３２】
取扱説明書４０の他の説明としては、例えば、「第１頁〜第１０頁の普通紙に近い本の場合には、設定「頁紙種」を「普通紙」に設定し、第１１頁〜第２１頁の薄紙に近い本の場合には、「薄紙」に設定し、第２２頁以降の厚紙に近い本の場合には、「厚紙」に設定して下さい。」とすることで、正しくセッティングすることができ、よりユーザの判断に依存する頁めくれの失敗を軽減することができる。
【００３３】
また、特別な動作モードにおいて、実際に、当該取扱説明書４０を頁めくり装置１に載置し、読み取りたい本Ｂの頁Ｐの紙種に近い用紙からなる頁を開き、実際に頁めくり動作、頁の撮影を実行してもよい。これにより、頁めくり装置１のセッティングが本Ｂに合った状態となっているかを確認することができる。ここで、セッティングは、めくり枚数（停止間隔）、紙種（例えば、厚紙／普通紙／薄紙、非対応など）、めくり間隔（速度）、頁めくり装置に対する配置、粘着テープの指定（例えば、強い粘着性／普通／弱い）、推奨事項、注意事項（例えば、「より厚い紙はページが正しくめくれない可能性があります」など）を含む。
【００３４】
また、取扱説明書４０の普通紙５０で実際に読み取る動作を実行し、吸着部３５の粘着テープの粘着性を確認し、粘着テープの寿命の判断基準を明確にすることができる。例えば、取扱説明書４０に「取扱説明書の第１頁を見開きにしてセッティングして頁めくりを（テストモードで）実行してください。頁が△頁以上めくれない場合は、粘着テープの寿命です。」と記載しておくことで、ユーザは、粘着テープの寿命をより正しく認識することができる。
【００３５】
図３は、本実施形態の頁めくり装置１に同梱される取扱説明書の他の例を示す模式図である。頁めくり装置１では、本Ｂの表紙の厚みによっては、頁めくりが不可能な場合がある。通常、このような制限は、取扱説明書４０に記載するだけである。しかしながら、ユーザは、取扱説明書４０の説明だけでは、読み取りたい本Ｂの表紙の厚さが制限されている厚さであるのかを判断しづらいという課題がある。表紙（裏表紙）が厚すぎる本を無理やりセッティングすると、本を保持台６に固定する固定部材などの破損に繋がる恐れがある。
【００３６】
そこで、本実施形態では、例えば、頁めくり装置１で使用可能な表紙の厚みが３．０ｍｍ以下であった場合、図３に示すように、約３．０ｍｍの厚みになるような箇所まで色を変えた頁５３を設けたり、目印となる頁（その頁だけ他の頁と色を変えるなど）を設けたりする。そして、取扱説明書４０に、「○○色の部分より厚みのある表紙の本は使用できません。」、「○○色の頁を開き、それよりも高さのある表紙の本は載置しないでください。」などと説明を記載する。ユーザは、表紙の厚みを定規などで測ることなく、本Ｂと取扱説明書４０とを並べるだけで、頁めくり装置１で使用できる厚さの表示であるか否かを判定することができる。なお、図３に示す例以外にも、例えば、取扱説明書４０の背表紙に印を入れるようにしてもよい。また、図３に示す例は、図２に示す例に組み込まれてもよい。
【００３７】
また、図２、図３に示す例において、取扱説明書４０のサイズを、頁めくり部３のセッティング位置が切り替わるＢ５サイズで作成してもよい。頁めくり部３のセッティング位置は、保持板６１に設置される本Ｂのサイズに応じて左右に移動させることでより正確に頁めくりが可能となっている。このことは、取扱説明書４０に記載されているが、前述したように、ユーザは、手持ちの本Ｂのサイズを知らない場合が多い。
【００３８】
そこで、取扱説明書４０のサイズを頁めくり部３のセッティング位置が切り替わるＢ５サイズで作成することで、取扱説明書４０に「取扱説明書はＢ５サイズです。取扱説明書より小さい本は、○○のセッティングを行ってください。」、「取扱説明書４０より頁閉じ部の長さが長いものは、△△のセッティングが推奨です。」などと記載しておけば、ユーザは、取扱説明書４０のサイズを基準とすることで、例えば特殊サイズの本Ｂであっても、本Ｂのサイズに応じて正しくセッティングすることができ、また、取扱説明書４０の説明も簡略化できる。
【００３９】
また、コールセンターなどへの問合せの際にも、ユーザに事前に取扱説明書４０と比較した本の説明を用意してもらうことで、ユーザとオペレータとの電話でのやりとり、負担を軽減できる。例えば、オペレータが「お手持ちの本のサイズはＢ５より大きいですが？」と質問した場合、ユーザは、手持ちの本Ｂと取扱説明書４０（Ｂ５サイズ）とを比較すれば、手持ちの本ＢがＢ５サイズであるか、小さいか、大きいかを容易に説明することができる。同様にして、ユーザは、手持ちの本Ｂの頁が薄紙か、普通紙か、厚紙かを容易に説明することができる。
【００４０】
図４は、本実施形態の頁めくり装置１に同梱される取扱説明書４０によって提供される標準指標の一覧を示す概念図である。本実施形態によれば、頁めくり装置１に同梱する取扱説明書４０を、異なる紙種の頁で構成することで紙種指標８０として用いることができる。また、取扱説明書４０を、頁めくり部３のセッティング位置が切り替わるＢ５サイズで作成することで、頁めくり装置１に適用可能な本サイズ指標８１として用いることができる。
【００４１】
また、取扱説明書４０の一部を、頁めくり装置１で使用可能な表紙の厚みを明示するような構成とすることで、頁めくり装置１に適用可能な表紙厚み指標８２として用いることができる。また、取扱説明書４０を構成する普通紙５０の頁で実際に読み取る動作を実行させることで、吸着部３５の粘着テープの寿命指標８３として用いることができる。さらに、頁めくり装置１に同梱される取扱説明書４０に上述した指標８０〜８３を組み込むことで、これら指標８０〜８３をコールセンターへの問い合わせ指標８４として用いることができる。
【００４２】
上述した実施形態によれば、頁めくり装置１の動作条件を設定するための複数の標準指標を、当該取扱説明書４０の頁の構成として取り込むようにしたので、頁めくり装置１を取り扱う際の判断基準とすべき標準指標を取扱説明書４０で提供することができる。
【００４３】
上述した実施形態によれば、取扱説明書４０の頁として、普通紙５０、薄紙５１、厚紙５２を綴じ合わせた頁を用いるようにしたので、頁めくり装置を取り扱う際の判断基準とすべき標準指標として、本の紙種を提示することができる。
【００４４】
また、上述した実施形態によれば、複数の異なる紙種として、普通紙５０、薄紙５１、厚紙５２からなる頁を、それぞれの紙種毎に複数の頁からなるようにしたので、実際に取扱説明書４０を用いて頁めくり装置１による頁めくり動作を実行することで、該頁めくり動作から頁めくり装置１の動作を確認することができる。
【００４５】
また、上述した実施形態によれば、複数の標準指標のうち少なくとも１つとして、当該取扱説明書４０のサイズを、頁めくり装置１の各部の配置を切り替える必要性が生ずる本のサイズ（例えば、Ｂ５サイズ）としたので、取扱説明書４０のサイズを基準とすることで、例えば特殊サイズの本Ｂであっても、本Ｂのサイズに応じて正しくセッティングすることができ、また、取扱説明書４０の説明も簡略化できる。
【００４６】
また、上述した実施形態によれば、複数の標準指標のうち少なくとも１つとして、取扱説明書４０の複数の頁を所定の色にすることによって、頁めくり装置１に載置可能な本の表紙の厚みの上限（約３．０ｍｍ）を示すようにしたので、ユーザは、表紙の厚みを定規などで測ることなく、本Ｂと取扱説明書４０とを並べるだけで、頁めくり装置１で使用できる厚さの表示であるか否かを判定することができる。
【００４７】
また、上述した実施形態によれば、複数の標準指標のうち少なくとも１つとして、当該取扱説明書４０の頁を頁めくり装置１によって実際にめくることで、頁めくり装置の各部の動作条件を示すようにしたので、該頁めくり動作から頁めくり装置１の動作を確認することができる。
【００４８】
また、上述した実施形態によれば、当該取扱説明書の頁を頁めくり装置によって実際にめくる動作を実行することで、頁をめくる吸着部３５の粘着テープの吸着性能を測定するようにしたので、粘着テープの寿命をより正しく認識することができる。
【００４９】
また、上述した実施形態によれば、取扱説明書の頁の所定の位置に、標準指標である旨を示すマークを配置し、本の頁を撮影した撮影画像からマークが検出された場合、撮影画像を電子書籍データとして取得しないようにしたので、電子書籍データとして使用できないデータを無駄に保存することがなく、メモリ容量を圧迫することもない。
【００５０】
また、上述した実施形態によれば、複数の標準指標を取り込んだ頁の特徴を参照するように、頁めくり装置の取扱方法を説明する文章を記載するようにしたので、ユーザは、取扱説明書４０のみで頁めくり装置１の取扱方法を習得することができる。
【００５１】
なお、上述した実施形態では、特別な動作モードにおいて、取扱説明書４０を用いて実際に頁めくり動作、頁の撮影を実行するとしたが、これに限らず、取扱説明書４０の用紙（頁）の所定の位置に「標準指標」である旨を示すマークを配置し、撮影画像に該マークが検出された場合、撮影画像を電子書籍データとして取得（格納）しないように動作を制御するようにしてもよい。
【００５２】
また、上述した実施形態では、紙種として普通紙５０、薄紙５１、厚紙５２を用いたが、これに限らず、あるいはこれに加えて、吸着部３５の吸着性能に影響を及ぼすことが考えられる表面状態（ざらざらしている用紙、つるつるした用紙など）が異なる複数の用紙であってもよい。
【００５３】
また、上述した実施形態では、紙種（普通紙／薄紙／厚紙）、本のサイズ、本の表紙の厚み、粘着ローラの寿命、頁めくり部３のセッティング位置に対する標準指標について説明したが、これに限らず、めくり枚数（停止間隔）、めくり間隔（速度）、粘着テープの粘着度（例えば、強い粘着性／普通／弱い）、推奨事項、注意事項などを含んでもよい。
【００５４】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００５５】
（付記１）
付記１に記載の発明は、見開きの本の頁をめくる頁めくり装置の取扱説明書であって、前記頁めくり装置の動作条件を設定するための複数の標準指標を、当該取扱説明書の頁の構成として取り込んだことを特徴とする取扱説明書である。
【００５６】
（付記２）
付記２に記載の発明は、前記複数の標準指標は、各々、複数の異なる紙種を綴じ合わせた頁であることを特徴とする付記１に記載の取扱説明書である。
【００５７】
（付記３）
付記３に記載の発明は、前記複数の異なる紙種からなる頁は、それぞれの紙種毎に複数の頁からなることを特徴とする付記２に記載の取扱説明書である。
【００５８】
（付記４）
付記４に記載の発明は、前記複数の標準指標のうち少なくとも１つは、前記頁めくり装置の各部の配置を切り替える必要性が生ずる本のサイズとした当該取扱説明書のサイズであることを特徴とする付記１に記載の取扱説明書である。
【００５９】
（付記５）
付記５に記載の発明は、前記複数の標準指標のうち少なくとも１つは、前記頁めくり装置に載置可能な前記本の表紙の厚みに対応させて所定の色にした複数の頁であることを特徴とする付記１に記載の取扱説明書である。
【００６０】
（付記６）
付記６に記載の発明は、前記複数の標準指標のうち少なくとも１つは、前記頁めくり装置によって実際に当該取扱説明書の頁をめくる動作を実行することで得られる、前記頁めくり装置の各部の動作条件を示す頁からなることを特徴とする付記２に記載の取扱説明書である。
【００６１】
（付記７）
付記７に記載の発明は、前記動作条件は、頁をめくる吸着部の吸着性能であることを特徴とする付記６に記載の取扱説明書である。
【００６２】
（付記８）
付記８に記載の発明は、前記複数の標準指標を取り込んだ当該取扱説明書の頁の所定の位置に、標準指標である旨を示すマークを配置し、前記本の頁を撮影した撮影画像から前記マークが検出された場合、前記撮影画像を電子書籍データとして取得しないことを特徴とする付記１乃至７のいずれかに記載の取扱説明書である。
【００６３】
（付記９）
付記９に記載の発明は、前記複数の標準指標を取り込んだ頁の特徴に対応する前記頁めくり装置の取扱方法を説明する文章が記載された付記１乃至８のいずれかに記載の取扱説明書である。
【符号の説明】
【００６４】
１…頁めくり装置、３…頁めくり部、７…頁保持部、３１…収納ケース、３２…駆動軸、３４…アーム部、３５…吸着部、４０…取扱説明書、５０…普通紙、５１…薄紙、５２…厚紙、５３…指標頁、６…保持台、６１、６２…保持板、７５…頁押さえ装置、７６…位置調整部、７５１…巻き込み部、７５２…引き込みローラ、７５３…押さえローラ、８０…紙種指標、８１…本サイズ指標、８２…表紙厚み指標、８３…粘着テープの寿命指標、８４…問い合わせ指標、Ｂ…本、Ｐ…頁
【図１】
2018051842.tif 000003
【図２】
2018051842.tif 000004
【図３】
2018051842.tif 000005
【図４】
2018051842.tif 000006
【手続補正書】
【提出日】平成29年5月19日(2017.5.19)
【手続補正１】
【補正対象書類名】明細書
【補正対象項目名】０００８
【補正方法】変更
【補正の内容】
【０００８】
そこで本発明の課題は、頁めくり装置を取り扱う際の判断基準とすべき指標を提供することである。
【手続補正２】
【補正対象書類名】明細書
【補正対象項目名】０００９
【補正方法】変更
【補正の内容】
【０００９】
この発明に係る取扱説明書は、見開きの本の頁をめくる装置の取扱説明書であって、前記装置の動作条件を設定するための複数の指標を、当該取扱説明書の頁の構成として備えることを特徴とする。
【手続補正３】
【補正対象書類名】明細書
【補正対象項目名】００１０
【補正方法】変更
【補正の内容】
【００１０】
この発明によれば、頁めくり装置を取り扱う際の判断基準とすべき指標を提供することができる。
【手続補正４】
【補正対象書類名】特許請求の範囲
【補正対象項目名】全文
【補正方法】変更
【補正の内容】
【特許請求の範囲】
【請求項１】
見開きの本の頁をめくる装置の取扱説明書であって、
前記装置の動作条件を設定するための複数の指標を、当該取扱説明書の頁の構成として備えることを特徴とする取扱説明書。
【請求項２】
前記複数の指標は、各々、複数の異なる紙種の紙を綴じ合わせた頁であることを特徴とする請求項１に記載の取扱説明書。
【請求項３】
前記複数の異なる紙種の紙からなる頁は、それぞれの紙種毎に複数の頁からなることを特徴とする請求項２に記載の取扱説明書。
【請求項４】
前記複数の指標のうち少なくとも１つは、前記装置の各部の配置を切り替える必要性が生ずる本のサイズとした当該取扱説明書のサイズであることを特徴とする請求項１に記載の取扱説明書。
【請求項５】
前記複数の指標のうち少なくとも１つは、前記装置に載置可能な前記本の表紙の厚みに対応させて所定の色にした複数の頁であることを特徴とする請求項１に記載の取扱説明書。
【請求項６】
前記複数の指標のうち少なくとも１つは、前記装置によって実際に当該取扱説明書の頁をめくる動作を実行することで得られる、前記装置の各部の動作条件を示す頁からなることを特徴とする請求項２に記載の取扱説明書。
【請求項７】
前記動作条件は、頁をめくる粘着部の粘着性能であることを特徴とする請求項６に記載の取扱説明書。
【請求項８】
前記複数の指標を取り込んだ当該取扱説明書の頁の所定の位置に、指標である旨を示すマークを配置し、前記本の頁を撮影した撮影画像から前記マークが検出された場合、前記撮影画像は、電子書籍データとして取得されないことを特徴とする請求項１乃至７のいずれかに記載の取扱説明書。
【請求項９】
前記複数の指標を取り込んだ頁に対応する前記装置の取扱方法を説明する文章が記載された請求項１乃至８のいずれかに記載の取扱説明書。